(57)【要約】【課題】本考案は、嵩張らなため携帯に便利であると共に釣竿に直接取り付けて使用する釣竿用イカツノ保持体を提供する。【解決手段】この釣竿用イカツノ保持体１０の本体部１２の底面１２Ａには上面１２Ｂに向けてイカツノ１の針２が入り込んで収容される針収容穴１４が形成されている。針収容穴１４の底にはイカツノ１の針２を磁着する磁石１６が設けられている。前記本体部１２の上面１２Ｂには円弧状に窪んだ釣竿当接部１８が形成されている。本体部１２の第１側面１２Ｃにはベルト取付体２０が形成され、このベルト取付体２０には固定ベルト２２の一端部２２Ａが固定されている。固定ベルト体２２には係止孔２４が貫通形成されている。また、前記本体部１２の第２側面１２Ｄには留め具体２６が形成されている。【選択図】図１
0003128135.tif 000002
【実用新案登録請求の範囲】
【請求項１】
釣竿に取り付けられる釣竿用イカツノ保持体であって、本体部と、この本体部に形成されると共にイカツノの針が収容される針収容穴と、この針収容穴の内部に設けられた磁石と、前記本体部に取り付けられると共に本体部を釣竿に固定する固定体と、を有してなることを特徴とする釣竿用イカツノ保持体。
【請求項２】
釣竿に取り付けられる釣竿用イカツノ保持体であって、本体部と、この本体部に形成されると共にイカツノの針が収容される針収容穴と、この針収容穴の底部に設けられた磁石と、前記本体部に窪んで形成された釣竿当接部と、前記本体部に取り付けられると共に本体部を釣竿に固定する固定体と、を有してなることを特徴とする釣竿用イカツノ保持体。
【請求項３】
釣竿に取り付けられる釣竿用イカツノ保持体であって、本体部と、この本体部の底面に形成されると共にイカツノの針が収容される針収容穴と、この針収容穴の底部に設けられた磁石と、前記本体部の上面に窪んで形成された釣竿当接部と、前記本体部の側面に形成された固定体取付体と、この固定体取付体に一端部が固定されると共に前記本体部を釣竿に固定する固定体と、を有してなることを特徴とする釣竿用イカツノ保持体。
【請求項４】
釣竿に取り付けられる釣竿用イカツノ保持体であって、本体部と、この本体部の底面に本体部の上面に向けて形成されると共にイカツノの針が収容される針収容穴と、この針収容穴の底部に設けられた磁石と、前記本体部の上面に円弧状に窪んで形成された釣竿当接部と、前記本体部の側面に一端部が固定されると共に前記本体部を釣竿に固定する固定ベルトと、前記本体部の側面に形成されると共に前記固定ベルトが係止される留め具体と、を有してなることを特徴とする釣竿用イカツノ保持体。
【請求項５】
釣竿に取り付けられる釣竿用イカツノ保持体であって、本体部と、この本体部の底面に本体部の上面に向けて形成されると共にイカツノの針が収容される針収容穴と、この針収容穴の底部に設けられた磁石と、前記本体部の上面に釣竿の外周部に対応して円弧状に窪んで形成された釣竿当接部と、前記本体部の第１側面に一端部が固定されると共に本体部を釣竿に固定する固定ベルトと、前記本体部の第２側面に形成されると共に前記固定ベルトが係止される留め具体と、を有してなることを特徴とする釣竿用イカツノ保持体。
【請求項６】
釣竿に取り付けられる釣竿用イカツノ保持体であって、本体部と、この本体部の底面に本体部の上面に向けて形成されると共にイカツノの針が収容される針収容穴と、この針収容穴の底部に設けられた磁石と、前記本体部の上面に釣竿の外周部に対応して円弧状に窪んで形成された釣竿当接部と、前記本体部の第１側面に一端部が固定されると共に本体部を釣竿に固定する弾性体で形成された固定ベルトと、前記本体部の第２側面に形成されると共に前記固定ベルトが係止される留め具体と、を有してなることを特徴とする釣竿用イカツノ保持体。
【考案の詳細な説明】
【技術分野】
【０００１】
本考案は、イカを釣る場合に釣糸に取り付けられたイカツノ（イカ釣用疑似餌のこと）を一時的に磁着することにより、イカツノの針に釣糸等が絡むのを防止することができる釣竿用イカツノ保持体に関する。
【背景技術】
【０００２】
イカを釣る場合の一般な釣り方としては、道糸の先端に取り付けられた幹糸に間隔を配して取り付けられた枝ス糸の先端にイカツノをそれぞれ取り付け、このイカツノを餌であると思って喰いついてきたイカをイカツノの針で引っ掛けてイカを釣る釣り方が従来から広く知られている。
上記釣り方によって釣れたイカをイカツノの針から外す場合は釣竿に取り付けられたリールで道糸を巻き取ってから、前記幹糸を手繰り寄せてイカツノの針に引っ掛かったイカを外している。
しかし、前記幹糸には枝ス糸を介して前記イカツノが複数取り付けられているので幹糸を手繰り寄せた場合にイカが掛かっていないイカツノの針が幹糸等に絡んだりして収拾がつかなくなる事態が頻発する。
そこで、イカツノの針が幹糸等に絡むのを防止する装置として、船縁等の固定部材に固定して用いるイカ釣り針保持具が提案されている（特許文献１）。
このイカ釣り針保持具は、船縁等に取り付けられる支柱に長尺状のアームが取り付けられ、このアームにイカツノの針が磁着されるイカツノ保持体が複数個取り付けられる構造となっている。
従って、前記イカ釣り針保持具は嵩張ると共に携帯に不便である。
また、前記イカ釣り針保持具は船縁等の固定部材に取り付けられて用いられるので船縁等の固定部材が必要になり、固定部材が無いと取り付けることができないという不具合がある。
【特許文献１】特開２００３−２３９４０公報
【考案の開示】
【考案が解決しようとする課題】
【０００３】
本考案は、上記事実に鑑みなされたものであり、小さくて嵩張らなため携帯に便利であると共に釣竿に直接取り付けるため固定部材が無くても容易に取り付けることができる釣竿用イカツノ保持体を提供するものである。
【課題を解決するための手段】
【０００４】
請求項１の考案は、釣竿に取り付けられる釣竿用イカツノ保持体であって、本体部と、この本体部に形成されると共にイカツノの針が収容される針収容穴と、この針収容穴の内部に設けられた磁石と、前記本体部に取り付けられると共に本体部を釣竿に固定する固定体と、を有してなることを特徴としている。
請求項２の考案は、釣竿に取り付けられる釣竿用イカツノ保持体であって、本体部と、この本体部に形成されると共にイカツノの針が収容される針収容穴と、この針収容穴の底部に設けられた磁石と、前記本体部に窪んで形成された釣竿当接部と、前記本体部に取り付けられると共に本体部を釣竿に固定する固定体と、を有してなることを特徴としている。
請求項３の考案は、釣竿に取り付けられる釣竿用イカツノ保持体であって、本体部と、この本体部の底面に形成されると共にイカツノの針が収容される針収容穴と、この針収容穴の底部に設けられた磁石と、前記本体部の上面に窪んで形成された釣竿当接部と、前記本体部の側面に形成された固定体取付体と、この固定体取付体に一端部が固定されると共に前記本体部を釣竿に固定する固定体と、を有してなることを特徴としている。
請求項４の考案は、釣竿に取り付けられる釣竿用イカツノ保持体であって、本体部と、この本体部の底面に本体部の上面に向けて形成されると共にイカツノの針が収容される針収容穴と、この針収容穴の底部に設けられた磁石と、前記本体部の上面に円弧状に窪んで形成された釣竿当接部と、前記本体部の側面に一端部が固定されると共に前記本体部を釣竿に固定する固定ベルトと、前記本体部の側面に形成されると共に前記固定ベルトが係止される留め具体と、を有してなることを特徴としている。
請求項５の考案は、釣竿に取り付けられる釣竿用イカツノ保持体であって、本体部と、この本体部の底面に本体部の上面に向けて形成されると共にイカツノの針が収容される針収容穴と、この針収容穴の底部に設けられた磁石と、前記本体部の上面に釣竿の外周部に対応して円弧状に窪んで形成された釣竿当接部と、前記本体部の第１側面に一端部が固定されると共に本体部を釣竿に固定する固定ベルトと、前記本体部の第２側面に形成されると共に前記固定ベルトが係止される留め具体と、を有してなることを特徴としている。
請求項６の考案は、釣竿に取り付けられる釣竿用イカツノ保持体であって、本体部と、この本体部の底面に本体部の上面に向けて形成されると共にイカツノの針が収容される針収容穴と、この針収容穴の底部に設けられた磁石と、前記本体部の上面に釣竿の外周部に対応して円弧状に窪んで形成された釣竿当接部と、前記本体部の第１側面に一端部が固定されると共に本体部を釣竿に固定する弾性体で形成された固定ベルトと、前記本体部の第２側面に形成されると共に前記固定ベルトが係止される留め具体と、を有してなることを特徴としている。
【考案の効果】
【０００５】
本考案の釣竿用イカツノ保持体は、嵩張らないと共に携帯に便利であるという優れた効果を有する。
本考案の釣竿用イカツノ保持体は、釣竿に直接取り付けるので船縁等の固定部材が無くても容易に取り付けることができるという優れた効果を有する。
【考案を実施するための最良の形態】
【０００６】
考案を実施するために最良の形態の例として以下のような実施例を示す。
【実施例１】
【０００７】
図１〜図４には本考案の釣竿用イカツノ保持体１０の一実施例が示されている。
図１に示されるように、この釣竿用イカツノ保持体１０の本体部１２は合成樹脂材で一体形成されている。
図３に示されるように、この本体部１２の底面１２Ａには上面１２Ｂに向けてイカツノ１の針２が入り込んで収容される針収容穴１４が形成されている。この針収容穴１４はテーパ状に形成されており、テーパ状に形成されているイカツノ１の針２を収容し易くなっている。
前記針収容穴１４の底にはイカツノ１の針２を磁着する磁石１６が設けられている。なお、この磁石１６の磁力はイカツノ１の針２を磁石１６に当接するとイカツノ１を確実に磁着するが、イカツノ１を少し引っ張ると磁石１６に磁着していた前記イカツノ１はスムーズに磁石１６から離脱するように設定されている。従って、釣竿３に固定された釣竿用イカツノ保持体１０にイカツノ１を磁着しておいて（図４に示す状態）、前記釣竿３をスイングすると釣竿用イカツノ保持体１０に磁着されているイカツノ２はスムーズに離脱して海に放たれるようになっている。
図２及び図３に示されるように、前記本体部１２の上面１２Ｂには円弧状に窪んだ釣竿当接部１８が形成されている。この釣竿当接部１８は図２に示されるように前記釣竿３の外周面に対応するように円弧状に窪んで形成されている。従って、釣竿用イカツノ保持体１０を釣竿３に取り付ける場合に釣竿用イカツノ保持体１０を釣竿３の外周面にフィットした状態で当接することができるようになっている。
図１に示されるように、前記本体部１２の第１側面１２Ｃにはベルト取付体２０が形成されている。このベルト取付体２０には本体部１２を釣竿３に固定する固定体としての固定ベルト２２の一端部２２Ａが取り付けられている。この固定ベルト２２は弾性体としてのゴムを帯状にして形成されている。また、前記固定ベルト体２２には長手方向に沿って係止孔２４が間隔を設けて複数貫通形成されている。
前記本体部１２の前記第１側面１２Ｃと反対側の第２側面１２Ｄには留め具体２６が形成されている。この留め具体２６は前記固定ベルト２２に形成された係止孔２４に入り込むことにより、固定ベルト２２は留め具体２６と係止するようになっている。
【０００８】
前記実施例の釣竿用イカツノ保持体１０の作用を説明する。
図４に示されるように、前記釣竿３にはリール４が取り付けられ、道糸５を巻き取るようになっている。この道糸５の先端には幹糸６が取り付けられ、幹糸６には間隔を配して枝ス糸７が取り付けられている。この枝ス糸７の先端には前記イカツノ１が取り付けられている。なお、前記幹糸６の先端にはオモリ８が取り付けられている。
本考案の釣竿用イカツノ保持体１０を前記釣竿３に取り付ける場合は本体部１２の釣竿当接部１８を釣竿３の外周面に当接させてから、固定ベルト２２を釣竿３に巻き付けるようにして留め具体２６を固定ベルト２２の係止孔２４に入れて固定ベルト２２と留め具体２６を係止する。
このようにして、釣竿３に間隔を設けて釣竿用イカツノ保持体１０を複数個（実施例では図４に示すようにイカツノ１の６個に対して同数の６個）固定する。
前記仕掛けが取り付けられた釣竿３でイカ釣をしてイカが前記イカツノ１の針２に掛かったら、まずリール４で道糸５を巻き取り、幹糸６を手繰り寄せてイカツノ１の針２に掛ったイカを取り外す。そして、道糸５に一番近いイカツノ１を釣竿３の一番先に取り付けた釣竿用イカツノ保持体１０に対応させてイカツノ１の針２を前記釣竿用イカツノ保持体１０の針収容穴１４に収容して磁石１６に当接、磁着させる。
次に、道糸５に２番目に近いイカツノ１を竿先から２番目に取り付けられた釣竿用イカツノ保持体１０に磁着させる。上記要領で他のイカツノ１を順番に前記釣竿用イカツノ保持体１０に磁着させる（図４に示す状態）。
従って、前記イカツノ１は道糸５に近いイカツノ１から順に釣竿３に取り付けられた釣竿用イカツノ保持体１０に磁着されるのでイカツノ１の針２が幹糸６等が絡んでしまう事態を確実に防止することができる。
また、本考案の前記釣竿用イカツノ保持体１０は、小さいので嵩張らず、また携帯に便利である。さらに、前記釣竿用イカツノ保持体１０は釣竿３に直接取り付けて用いるので、船縁等の固定部材は全く必要ない。
また、釣竿用イカツノ保持体１０は固定ベルト２２を釣竿３に巻き付ければ取り付けられ、固定ベルト２２の巻き付けを解除すれば取り外すことができるので、釣竿用イカツノ保持体１０の着脱が極めて容易である。
さらに、釣竿用イカツノ保持体１０は固定ベルト２２を釣竿３に巻き付けて取り付けるため、釣竿３の太さなどに関係なく釣竿用イカツノ保持体１０を釣竿３に確実に取り付けることができる。
【０００９】
なお、実施例では前記固定ベルト２２をゴムで帯状に形成した場合を説明したが、固定ベルト２２はゴム以外の材料で形成してもよいことは勿論である。
また、実施例では固定体として固定ベルト２２を示したが、固定体は実施例に示した固定ベルト２２に限定されるものでなく、例えば釣竿３に締め付けて結んで取り付ける紐等でもよいことは勿論である。
なお、実施例では釣竿３に取り付ける釣竿用イカツノ保持体１０の数を仕掛けに取り付けたイカツノ１の数と同数にしたが、釣竿３に取り付ける釣竿用イカツノ保持体１０の数は仕掛けに取り付けられるイカツノ１の数と同じにしなくてもよいことは勿論である。
また、釣竿用イカツノ保持体１０を釣竿３に取り付ける場合の取付位置や取り付ける釣竿用イカツノ保持体１０の数は実施例に限定されるものでないことは勿論である。
【図面の簡単な説明】
【００１０】
【図１】実施例の釣竿用イカツノ保持体の全体斜視図である。
【図２】実施例の釣竿用イカツノ保持体を釣竿に取り付けた状態の正面図である。
【図３】実施例の釣竿用イカツノ保持体の本体部とイカツノの関係を示す縦断面図である。
【図４】実施例の釣竿用イカツノ保持体を釣竿に取り付けた状態を示す側面図である。
【符号の説明】
【００１１】
１０    釣竿用イカツノ保持体
１２    本体部
１４    針収容穴
１６    磁石
１８    釣竿当接部
２０    ベルト取付体
２２    固定ベルト
２４    係止孔
２６    留め具体
【図１】
0003128135.tif 000003
【図２】
0003128135.tif 000004
【図３】
0003128135.tif 000005
【図４】
0003128135.tif 000006